(57)【要約】【課題】インターネット・プロトコル・テレビジョン（ＩＰＴＶ）システムにおけるデータ通信のための方法を提供すること。【解決手段】遠隔ゾーンに関連する遠隔広告データ、および遠隔ゾーンでは入手できないホーム・コンテンツ・データを、第１エンド・ユーザ装置で受信すること、ならびに、第１エンド・ユーザ装置で遠隔広告データおよびホーム・ビデオ・データを併合することを含む。この方法を実施するためのシステムが開示される。【選択図】図１
2008187704.tif 000002
【特許請求の範囲】
【請求項１】
インターネット・プロトコル・テレビジョン（ＩＰＴＶ）システムにおけるデータ通信のための方法であって、遠隔ゾーンに関連する遠隔広告データ、および前記遠隔ゾーンでは入手できないホーム・コンテンツ・データを第１エンド・ユーザ装置で受信するステップ、ならびに前記第１エンド・ユーザ装置で前記遠隔広告データとホーム・ビデオ・データを併合するステップを含む方法。
【請求項２】
前記併合された遠隔広告データとホーム広告データを第２エンド・ユーザに送信するステップをさらに含み、前記第１エンド・ユーザ装置がホーム・ゾーンにあり、前記第２エンド・ユーザ装置が前記遠隔ゾーンにある、請求項１に記載の方法。
【請求項３】
前記第１エンド・ユーザ装置が前記遠隔ゾーンにある、請求項１に記載の方法。
【請求項４】
前記ホーム・ビデオ・データが前記ホーム・ゾーン内の第２エンド・ユーザ装置から受信され、前記遠隔広告データが通信ネットワークから受信される、請求項３に記載の方法。
【請求項５】
前記遠隔ゾーン内のＩＰＴＶネットワーク・ルータにおけるＩＰパケットの流れをモニタリングする前記ＩＰＴＶルータから遠隔ゾーンの地理的ロケーションを判定するデータを受信するステップをさらに含む、請求項１に記載の方法。
【請求項６】
前記第１エンド・ユーザ装置でデータを受信するステップをさらに含み、前記データが前記ホーム・ゾーン内のホーム広告主クーポンに相当する前記遠隔ゾーン内の遠隔広告主からの広告主クーポンを識別する、請求項１に記載の方法。
【請求項７】
前記ホーム広告データが、遠隔エンド・ユーザ装置が前記ホーム・ゾーン内の広告主に関連する前記遠隔ゾーン内の広告主にシームレスに接続することができるようにするコンタクト・データを含む、請求項１に記載の方法。
【請求項８】
インターネット・プロトコル・テレビジョン（ＩＰＴＶ）システムにおけるデータ通信のためのシステムであって、
メモリに結合されたコンピュータと、
遠隔ゾーンに関連する遠隔広告データ、および前記遠隔ゾーンでは入手できないホーム・コンテンツ・データを第１エンド・ユーザ装置で受信するための命令、ならびに前記第１エンド・ユーザ装置で前記遠隔広告データとホーム・ビデオ・データを併合するための命令を含む前記メモリ内のコンピュータ・プログラムと、
を含むシステム。
【請求項９】
前記コンピュータ・プログラムが前記併合された遠隔広告データとホーム広告データを第２エンド・ユーザ装置に送信するための命令をさらに含み、前記第１エンド・ユーザ装置がホーム・ゾーンにあり、前記第２エンド・ユーザ装置が前記遠隔ゾーンにある、請求項８に記載のシステム。
【請求項１０】
前記第１エンド・ユーザ装置が前記遠隔ゾーンにある、請求項８に記載のシステム。
【請求項１１】
前記ホーム・ビデオ・データが前記ホーム・ゾーン内の第２エンド・ユーザ装置から受信され、前記遠隔広告データが通信ネットワークから受信される、請求項１０に記載のシステム。
【請求項１２】
前記コンピュータ・プログラムが前記遠隔ゾーン内のＩＰＴＶネットワーク・ルータにおけるＩＰパケットの流れをモニタリングする前記ＩＰＴＶルータから遠隔ゾーンの地理的ロケーションを判定するデータを受信するための命令をさらに含む、請求項８に記載のシステム。
【請求項１３】
前記コンピュータ・プログラムが前記第１エンド・ユーザ装置でデータを受信するための命令をさらに含み、前記データが前記ホーム・ゾーン内のホーム広告主クーポンに相当する前記遠隔ゾーン内の遠隔広告主からの広告主クーポンを識別する、請求項８に記載のシステム。
【請求項１４】
前記ホーム広告データが、遠隔エンド・ユーザ装置が前記ホーム・ゾーン内の広告主に関連する前記遠隔ゾーン内の広告主にシームレスに接続することができるようにするコンタクト・データを含む、請求項８に記載のシステム。
【請求項１５】
インターネット・プロトコル・テレビジョン（ＩＰＴＶ）システムにおけるデータ通信のためのコンピュータ・プログラムを含むコンピュータ可読媒体であって、前記コンピュータ・プログラムが、遠隔ゾーンに関連する遠隔広告データ、および前記遠隔ゾーンでは入手できないホーム・コンテンツ・データを第１エンド・ユーザ装置で受信するための命令、ならびに前記第１エンド・ユーザ装置で前記遠隔広告データとホーム・ビデオ・データを併合するための命令を含むコンピュータ可読媒体。
【請求項１６】
前記コンピュータ・プログラムが、前記併合された遠隔広告データとホーム広告データを第２エンド・ユーザ装置に送信するための命令をさらに含み、前記第１エンド・ユーザ装置がホーム・ゾーンにあり、前記第２エンド・ユーザ装置が前記遠隔ゾーンにある、請求項１５に記載のコンピュータ可読媒体。
【請求項１７】
前記第１エンド・ユーザ装置が前記遠隔ゾーンにある、請求項１５に記載のコンピュータ可読媒体。
【請求項１８】
前記ホーム・ビデオ・データが前記ホーム・ゾーン内の第２エンド・ユーザ装置から受信され、前記遠隔広告データが通信ネットワークから受信される、請求項１７に記載のコンピュータ可読媒体。
【請求項１９】
前記コンピュータ・プログラムが、前記遠隔ゾーン内のＩＰＴＶネットワーク・ルータにおけるＩＰパケットの流れをモニタリングする前記ＩＰＴＶルータから遠隔ゾーンの地理的ロケーションを判定するデータを受信するための命令をさらに含む、請求項１５に記載のコンピュータ可読媒体。
【請求項２０】
前記コンピュータ・プログラムが前記第１エンド・ユーザ装置でデータを受信するための命令をさらに含み、前記データが、前記ホーム・ゾーン内のホーム広告主クーポンに相当する前記遠隔ゾーン内の遠隔広告主からの広告主クーポンを識別する、請求項１５に記載のコンピュータ可読媒体。
【請求項２１】
前記ホーム広告データが、遠隔エンド・ユーザ装置が前記ホーム・ゾーン内の広告主に関連する前記遠隔ゾーン内の広告主にシームレスに接続することができるようにするコンタクト・データを含む、請求項１５に記載のコンピュータ可読媒体。
【請求項２２】
インターネット・プロトコル・テレビジョン（ＩＰＴＶ）システムにおいて広告データを受信するためのシステムであって、
メモリに結合されたプロセッサ、ならびに
ホーム・ゾーンの外の遠隔ゾーン内の遠隔エンド・ユーザ装置で遠隔ゾーンに関連する遠隔広告データ、および前記遠隔ゾーンでは入手できない前記ホーム・ゾーンに関連するホーム・コンテンツ・データを受信するための命令を含む前記メモリ内のコンピュータ・プログラム
を含むシステム。
【請求項２３】
前記コンピュータ・プログラムが、前記ホーム・コンテンツ・データに挿入された前記遠隔広告データを前記遠隔エンド・ユーザ装置で受信するための命令をさらに含む、請求項２２に記載のシステム。
【請求項２４】
前記コンピュータ・プログラムが、前記遠隔エンド・ユーザ装置で前記遠隔広告データをホーム・ビデオ・データに併合するための命令をさらに含む、請求項２２に記載のシステム。
【請求項２５】
クライアント装置のＩＰアドレスを示すデータを入れるためのホームおよび遠隔クライアント装置ＩＰアドレス・フィールドと、
前記クライアント装置に関連するホーム・ゾーンのための広告サーバを示すデータを入れるためのホーム・ゾーン・フィールドと、
前記クライアント装置に関連する遠隔ゾーンのための広告サーバを示すデータを入れるための遠隔ゾーン・フィールドと
を含むメモリ内のデータ構造。
【請求項２６】
クーポンを示すデータ、および相当する遠隔クーポンが提供されることができるロケーションを前記遠隔ゾーン内の前記クライアント装置に示すロケーション・データを記憶するためのクーポン・フィールドをさらに含む、請求項２５に記載のデータ構造。
【請求項２７】
各遠隔ゾーンおよび各ホーム・ゾーンに関連するＩＰＴＶシステム・サーバ識別を示す各遠隔ゾーンおよび各ホーム・ゾーンのためのＩＰＴＶサーバ識別データを記憶するためのゾーン・サーバ・フィールドをさらに含む、請求項２５に記載のデータ構造。
【発明の詳細な説明】
【技術分野】
【０００１】
本開示は、テレビジョン・システム上での広告の分野に関する。
【背景技術】
【０００２】
ターゲット広告では、広告を選択し、その広告の受信ターゲットになる選択された個人に広告を送信する。広告主は広告を一般受信者集団に無差別に放送するのではなく、広告の受信者を選択することによって広告費を潜在的に節約することができる。したがって、ターゲット受信者が一人当たりベースでは一般放送集団より敏感に反応することを期待して、広告主によって選択された個人だけがターゲット広告を受信する。そのような広告モデルを可能にする広告ディストリビュータおよびプロバイダ（例えば、インターネット・ポータル、テレビジョン・プロバイダ、およびアクセス・ネットワーク・プロバイダ）は、広告主にターゲット広告オプションを提供することによってそれに伴って広告インプレッションごとの収入を増やすことができる。
【発明の開示】
【発明が解決しようとする課題】
【０００３】
ターゲット広告は、従来、広告に敏感に反応する可能性が最も大きいと広告主によってみなされた広告受信者だけに広告主が到達するように、ターゲット受信者に送信されてきた。ターゲット広告は、広告主の広告に敏感に反応する可能性が最も大きいと広告主によってみなされた選択された人口セクタのメンバにだけターゲット広告が送信されるように、集団の選択された人口セクタ宛に送信されてきた。
【課題を解決するための手段】
【０００４】
特定の例示的実施形態では、インターネット・プロトコル・テレビジョン（ＩＰＴＶ）システムにおけるデータ通信のための方法が開示される。本方法は、遠隔ゾーンに関連する遠隔広告データ、および遠隔ゾーンでは入手できないホーム・コンテンツ・データを第１エンド・ユーザ装置で受信すること、ならびに、第１エンド・ユーザ装置で遠隔広告データとホーム・ビデオ・データを併合することを含む。他の特定の例示的実施形態では、本方法は、併合された遠隔広告データとホーム広告データを第２エンド・ユーザ装置に送信することをさらに含み、第１エンド・ユーザ装置がホーム・ゾーンにあり、第２エンド・ユーザ装置が遠隔ゾーンにある。他の例示的実施形態では、第１エンド・ユーザ装置が遠隔ゾーンにある。他の特定の例示的実施形態では、ホーム・ビデオ・データがホーム・ゾーン内の第２エンド・ユーザ装置から受信され、遠隔広告データが通信ネットワークから受信される。他の特定の例示的実施形態では、本方法は、遠隔ゾーン内のＩＰＴＶネットワーク・ルータにおけるＩＰパケットの流れをモニタリングするＩＰＴＶルータから遠隔ゾーンの地理的ロケーションを判定するデータを受信することをさらに含む。他の特定の例示的実施形態では、本方法は、第１エンド・ユーザ装置でデータを受信することをさらに含み、該データがホーム・ゾーン内のホーム広告主クーポンに相当する遠隔ゾーン内の遠隔広告主からの広告主クーポンを識別する。他の特定の例示的実施形態では、ホーム広告データが、遠隔エンド・ユーザ装置がホーム・ゾーン内の広告主に関連する遠隔ゾーン内の広告主にシームレスに接続することができるようにするコンタクト・データを含む。
【０００５】
特定の例示的実施形態では、インターネット・プロトコル・テレビジョン（ＩＰＴＶ）システムにおけるデータ通信のためのシステムが開示される。本システムは、メモリに結合されたコンピュータおよびメモリ内のコンピュータ・プログラムを含む。コンピュータ・プログラムは、遠隔ゾーンに関連する遠隔広告データ、および遠隔ゾーンでは入手できないホーム・コンテンツ・データを第１エンド・ユーザ装置で受信するための命令、ならびに第１エンド・ユーザ装置で遠隔広告データとホーム・ビデオ・データを併合するための命令を含む。他の特定の例示的実施形態では、コンピュータ・プログラムが、併合された遠隔広告データとホーム広告データを第２エンド・ユーザ装置に送信するための命令をさらに含み、第１エンド・ユーザ装置がホーム・ゾーンにあり、第２エンド・ユーザ装置が遠隔ゾーンにある。他の特定の例示的実施形態では、第１エンド・ユーザ装置が遠隔ゾーンにある。他の特定の例示的実施形態では、ホーム・ビデオ・データがホーム・ゾーン内の第２エンド・ユーザ装置から受信され、遠隔広告データが通信ネットワークから受信される。他の特定の例示的実施形態では、コンピュータ・プログラムが、遠隔ゾーン内のＩＰＴＶネットワーク・ルータにおけるＩＰパケットの流れをモニタリングするＩＰＴＶルータから遠隔ゾーンの地理的ロケーションを判定するデータを受信するための命令を含む。他の特定の例示的実施形態では、コンピュータ・プログラムが第１エンド・ユーザ装置でデータを受信するための命令をさらに含み、該データがホーム・ゾーン内のホーム広告主クーポンに相当する遠隔ゾーン内の遠隔広告主からの広告主クーポンを識別する。他の特定の例示的実施形態では、ホーム広告データが、遠隔エンド・ユーザ装置がホーム・ゾーン内の広告主に関連する遠隔ゾーン内の広告主にシームレスに接続することができるようにするコンタクト・データを含む。
【０００６】
特定の例示的実施形態では、インターネット・プロトコル・テレビジョン（ＩＰＴＶ）システムにおけるデータ通信のためのコンピュータ・プログラムを含むコンピュータ可読媒体が開示される。本コンピュータ・プログラムは、遠隔ゾーンに関連する遠隔広告データ、および遠隔ゾーンでは入手できないホーム・コンテンツ・データを第１エンド・ユーザ装置で受信するための命令、ならびに、第１エンド・ユーザ装置で遠隔広告データとホーム・ビデオ・データを併合するための命令を含む。他の特定の例示的実施形態では、本コンピュータ・プログラムは、併合された遠隔広告データとホーム広告データを第２エンド・ユーザ装置に送信するための命令をさらに含み、第１エンド・ユーザ装置がホーム・ゾーンにあり、第２エンド・ユーザ装置が遠隔ゾーンにある。他の特定の例示的実施形態では、第１エンド・ユーザ装置が遠隔ゾーンにある。他の特定の例示的実施形態では、ホーム・ビデオ・データがホーム・ゾーン内の第２エンド・ユーザ装置から受信され、遠隔広告データが通信ネットワークから受信される。他の特定の例示的実施形態では、本コンピュータ・プログラムは、遠隔ゾーン内のＩＰＴＶネットワーク・ルータにおけるＩＰパケットの流れをモニタリングするＩＰＴＶルータから遠隔ゾーンの地理的ロケーションを判定するデータを受信するための命令をさらに含む。他の特定の例示的実施形態では、本コンピュータ・プログラムは、第１エンド・ユーザ装置でデータを受信するための命令をさらに含み、該データがホーム・ゾーン内のホーム広告主クーポンに相当する遠隔ゾーン内の遠隔広告主からの広告主クーポンを識別する。他の特定の例示的実施形態では、ホーム広告データが、遠隔エンド・ユーザ装置がホーム・ゾーン内の広告主に関連する遠隔ゾーン内の広告主にシームレスに接続することができるようにするコンタクト・データを含む。
【０００７】
他の特定の例示的実施形態では、インターネット・プロトコル・テレビジョン（ＩＰＴＶ）システムにおいて広告データを受信するためのシステムが開示される。本システムは、メモリに結合されたプロセッサ、ならびにホーム・ゾーンの外の遠隔ゾーン内の遠隔エンド・ユーザ装置で遠隔ゾーンに関連する遠隔広告データ、および遠隔ゾーンでは入手できないホーム・ゾーンに関連するホーム・コンテンツ・データを受信するための命令を含むメモリ内のコンピュータ・プログラムを含む。他の特定の例示的実施形態では、本コンピュータ・プログラムは、ホーム・コンテンツ・データに挿入された遠隔広告データを遠隔エンド・ユーザ装置で受信するための命令をさらに含む。他の特定の例示的実施形態では、本コンピュータ・プログラムは、遠隔エンド・ユーザ装置で遠隔広告データをホーム・ビデオ・データに併合する命令をさらに含む。
【０００８】
他の特定の例示的実施形態では、メモリ内のデータ構造が開示される。本データ構造は、クライアント装置のＩＰアドレスを示すデータを入れるためのホームおよび遠隔クライアント装置ＩＰアドレス・フィールドと、該クライアント装置に関連するホーム・ゾーンのための広告サーバを示すデータを入れるためのホーム・ゾーン・フィールドと、該クライアント装置に関連する遠隔ゾーンのための広告サーバを示すデータを入れるための遠隔ゾーン・フィールドと、を含む。他の特定の例示的実施形態では、本データ構造は、クーポンを示すデータ、および相当する遠隔クーポンが提供されることができるロケーションを遠隔ゾーン内のクライアント装置に示すロケーション・データを記憶するためのクーポン・フィールドをさらに含む。他の特定の例示的実施形態では、本データ構造は、各遠隔ゾーンおよび各ホーム・ゾーンに関連するＩＰＴＶシステム・サーバ識別を示す各遠隔ゾーンおよび各ホーム・ゾーンのためのＩＰＴＶサーバ識別データを記憶するためのゾーン・サーバ・フィールドをさらに含む。
【発明を実施するための最良の形態】
【０００９】
現在、テレビジョン・ユーザは、テレビジョン受信機にスリング・メディア社のスリングボックス（商標）などのリダイレクタ・アプリケーションまたは装置をインストールし、遠隔ロケーションでホーム・ビデオ・データを見ることができる。リダイレクタ装置がＩＰ接続を介してホーム・ビデオ・データを遠隔エンド・ユーザ装置に送信し、そこでユーザがホーム・ソースから送信されたホーム・コンテンツ・データおよび埋め込みホーム広告を見ることができる。例示的実施形態は、遠隔広告主に遠隔ロケーションにいる遠隔ユーザにサービスおよび商品を広告する機能を提供し、遠隔ユーザは、ホームから離れた遠隔ロケーションにいる間に、広告されたサービスを使用する機会を実際に持つことができる。リダイレクタ装置またはアプリケーションを有するインターネット・プロトコル・テレビジョン（ＩＰＴＶ）ユーザは、そのホーム・ロケーションから離れた別の遠隔の都市にいる間に、そのホーム・ロケーション（ホーム）からのすべてのビデオおよびコンテンツ・データをリダイレクトすることができる。コンテンツは、ビデオ、オーディオ、テキスト、グラフィックス、およびその他のいかなるデジタル・データをも含む、しかしそれらに限定されないすべてのデジタル・データを含んでもよい。ユーザのホームの地理的ロケーションに基づく広告データは、ホーム広告リテーラがホーム・ロケーションにローカルであり、遠隔ロケーションでは容易に入手できない可能性があるので、遠隔ロケーションではごく小さな価値しか有しない可能性がある。
【００１０】
本開示は、エンド・ユーザ・クライアント装置の一般的遠隔地理的ロケーションに基づいて地理ベースの遠隔広告データのホーム・ビデオおよびコンテンツ・データのリダイレクションのための例示的実施形態について述べる。遠隔ロケーションは、インターネット・プロトコル（ＩＰ）ネットワークまたはＩＰＴＶシステムなどの通信ネットワーク上で判定される。例示的実施形態では、リダイレクタＩＰＴＶサービスのエンド・ユーザ装置のロケーションを識別し、ＩＰＴＶ  ＰＥルータなど最後の通信ネットワーク・プロバイダ・エッジ（ＰＥ）ルータを通過したＩＰパケットの流れによってユーザの一般的な地理的近接度を計算し、この情報をメトロ・サービス・エリア（ＭＳＡ）コードの形で通信ネットワーク・サービス・プロバイダまたはＩＰＴＶサービス・プロバイダに返すための地理的ロケーション判定の方法が提供される。ＭＳＡはユーザに関する一般的地理的ロケーションを示す。通信ネットワーク・サービス・プロバイダは、移動中のユーザを現在利用できる一般的遠隔ＭＳＡを判定し、遠隔ＭＳＡに関連する遠隔広告データを、リダイレクタＩＰデータ・ストリームが来るホーム・セット・トップ・ボックス（ＳＴＢ）などのエンド・ユーザ・クライアント装置に送信する。
【００１１】
ホームまたは遠隔エンド・ユーザ装置は、パーソナル・コンピュータ、携帯情報端末、携帯電話、またはその他のＩＰ対応装置を含む、しかしそれらに限定されない、いかなるデジタル装置でもよい。ローカルＳＴＢは、ローカル・コンテンツを遠隔広告データ・フィードに（例えば、標準キュー・トーンを介して）併合し、ＳＴＢにあるリダイレクタ・アプリケーションに、この併合されたビデオおよび広告データ・ストリームを遠隔ロケーションのリダイレクタ・ユーザに送出させる。特定の例示的方法は、受信遠隔エンド・ユーザ装置、例えばパーソナル・コンピュータ（ＰＣ）のリダイレクタ・サービスのためのアプリケーションにおけるデータ転送オーバー・ヘッド必要条件を実質的に低減する。
【００１２】
他の例示的実施形態では、遠隔ユーザの遠隔ロケーションがＩＰＴＶ  ＰＥルータによって判定される。ユーザの遠隔地理的ロケーションが判定された後は、遠隔広告データ・ストリームが、ユーザの遠隔ロケーションにおけるエンド・ユーザ装置上のリダイレクタＰＣ／アプリケーションで接合するために、インターネット・ソース１２３から、あるいはインターネットを通してＩＰＴＶサーバまたはエンド・ユーザ装置などのソースから、リダイレクタ・アプリケーションに供給される。この特定の例示的実施形態では、遠隔ＰＣ／アプリケーションが、着信ホーム広告データを無視し、インターネットを介してＩＰ接続を横断して提供された遠隔ロケーションのための遠隔広告データを挿入する。この第２の例示的実施形態は、ＩＰバックボーン（例えばインターネット）を横断することから大量の広告ＩＰトラフィックを低減するが、遠隔エンド・ユーザ装置における遠隔リダイレクタＰＣ／アプリケーションへのビデオおよび広告データの配信に関して別の振る舞いを引き起こすことになるであろう。さらに、他の特定の例示的実施形態では、ファイアウォール／ＶＰＮトンネル問題が解決される。
【００１３】
リダイレクタ・アプリケーションまたは装置がすべてのコンテンツおよび広告データをエンド・ユーザのホームにおけるホーム・ソースからエンド・ユーザの遠隔ロケーションにリダイレクトする。リダイレクタ装置またはアプリケーションは、ホーム・ビデオ・データ・ストリームおよびホームまたは遠隔広告データを、ＩＰネットワークを横断して遠隔ロケーションのラップトップまたはＰＣ上にあるアプリケーションにリダイレクトするために、ケーブルまたはサテライト・ボックスの間にインストールされることができる。この例示的実施形態は、しばしばホーム・ロケーションから離れて遠隔ロケーションに行くユーザに特に有用である。リダイレクタ・アプリケーションは、ホーム・ビデオ・データが、遠隔ロケーションにおける遠隔エンド・ユーザ装置にストリーミングされることができるようにする。ホーム・マーケットからのホーム広告は、遠隔ロケーションにいるユーザがそのホーム・マーケットからの製品およびサービスを利用することができないので、まったく価値がないことが多い。
【００１４】
図１は、ＩＰＴＶネットワークを横断して実施される広告の広告アーキテクチャおよび配信を示す。図１に示されているように、複数のビジネス・ツー・ビジネス（Ｂ２Ｂ）広告クライアント１０１、１０２がＩＰＴＶ広告クライアント１０４と一緒に働いてそれらのＢ２Ｂ広告１０５をローカルに作成されたホーム・コンテンツとして導入する。広告クライアント１０１は、領域Ａの広告データのための広告クライアントを表し、広告クライアント１０２は、領域Ｂの広告データのための広告クライアントを表す。両方の広告クライアントは、バックエンド・セールス１０９、トラフィックおよびビリング・システム１１０を通って同様のパスを辿る。さらに、インボイス１１２および「アズ・プレイド・レポート」１０６が広告クライアント１０１、１０２の両方のために生成される。
【００１５】
動画像音声圧縮符号化規格（Ｍｐｅｇ）Ｈ．２６４エンコーダ１０８から広告サーバ／コンテンツ・ストレージ・システム１１１へのファイル転送が、広告コンテンツを領域Ａ１１５および領域Ｂ１２３への配信のために配置する。領域Ａ向けのローカル広告コンテンツが広告サーバ／コンテンツ・ストレージ１１１からＭＰ２ＴＳ／ＭＰ４ストリーム・スプライサ１１６に渡される。次いで、ストリームが、ＲＴＰリパケタイザ１１７を通し、ビデオ・キャッシュ・サーバ１１８を通して、領域Ａ内の顧客のセット・トップ・ボックス（ＳＴＢ）１１９に送信される。顧客がリダイレクタ製品を使用している場合、ストリームは、ＳＴＢ１１９から、ＩＰ接続を介して、インターネット１２０を横断して、リダイレクタ・アプリケーションが稼働しているＰＣ１２１に関連するＩＰアドレスに転送される。図示されているように、領域Ａからのホーム広告データ１３０が、領域Ａからのホーム・コンテンツ・データ１３１と一緒に領域Ｂ内の遠隔ユーザに転送される。
【００１６】
領域Ｂ向けの広告データ１３０に関しては、ナショナル・ヘッドエンド・オフィス１０７の中の広告サーバ／コンテンツ・ストレージが、領域Ｂビデオ・ヘッドエンド・オフィス１２３にあるＭＰ２ＴＳ／ＭＰ４ストリーム・スプライサ１２４に転送される。そこから、ビデオ１３０／広告１３３データ・ストリームがＲＴＰリパケタイザ１２５で再パケット化され、ＳＴＢ１２７などの領域Ｂのエンド・ユーザ装置へのデプロイメントのためにビデオ・キャッシュ・サーバ１２５に送信される。図１〜３内のサーバ、ルータ、ＳＴＢおよびエンド・ユーザ装置はそれぞれ、プロセッサ１４０、メモリ１４１、およびコンピュータ可読媒体１４２内のデータベース１４２を含む。
【００１７】
図２は、たとえ「ホーム」ロケーションから離れて遠隔ロケーションにある場合でも、遠隔広告データおよびホーム・コンテンツ・データをすべてのＳＴＢまたはリダイレクタ・タイプの装置宛に送信するためのＩＰＴＶサービス・プロバイダの機能を示す。Ｂ２Ｂクライアント１０１、１０２、トラフィック、ビリング、およびセールス１０９、１１０、インボイシング１１２、およびＭｐｅｇエンコーディング１０８は、図１に示されているものと変わらない。「アズ・プレイド・レポート」１０６は、それらの広告が遠隔ユーザにリダイレクトされたところを表示するためのオプションを有する。近接広告データベース２０９は、すべてのプロバイダ・エッジ（ＰＥ）ルータ２２２のＩＰアドレス、関連する領域コード（ＭＳＡ）、および遠隔エンド・ユーザ・クライアント装置のための物理的遠隔ロケーションを保持するために使用されることができる。
【００１８】
例示的実施形態におけるＩＰＴＶサービス・プロバイダによって提供されたリダイレクタ・サービスまたは装置を有するユーザは、ホーム・ロケーション１１９からの遠隔１２１であろう。アクセスは、識別されたＰＥルータ２２２を介してインターネット１２０を横断することになるであろう。ホームＳＴＢは、ホームＳＴＢ１１９がリダイレクト・モードにあると識別した場合、遠隔ユーザのロケーションＩＰアドレスを捕捉し、遠隔ユーザのＩＰアドレスを近接広告データベース２０９に転送することになるであろう。例示的実施形態は、ユーザが領域Ｂにいると判定し、ホームＳＴＢ１１９に送信するために（領域Ｂから）広告サーバに適切な広告データを通知することになるであろう。リダイレクト・モードにあるホームＳＴＢは、この遠隔広告データおよびホーム・ビデオ・データを遠隔ユーザ１２１に転送することになるであろう。広告データが、ネットワーク内のストリーム・スプライサ１１６で、またはデータを遠隔ＰＣ１２１に送信する前にＳＴＢ１１９で接合されるか、あるいは、遠隔エンド・ユーザ装置で接合されることになるであろう。
【００１９】
図３を参照すると、図３は、図２に示されているのと同様の実施形態を示すが、ホーム・ビデオおよび遠隔広告データが遠隔エンド・ユーザ・クライアント装置で接合または併合される。次に、図４を参照すると、図４は、遠隔ユーザがホームから離れて遠隔ロケーションにいる場合、遠隔ユーザのＩＰＴＶ領域への近接度を判定し、適切な遠隔広告コンテンツをユーザの遠隔ロケーションに提供するように実施される諸機能の例示的実施形態の流れ図を示す。特定の例示的実施形態における第１ステップは、ホームＳＴＢまたはＩＰＴＶサーバ・アプリケーションが、ホーム・エンド・ユーザ装置がリダイレクト・モードにあるかどうか、およびブロック３０１で遠隔クライアントがリダイレクトされたコンテンツを求めていることを判定することである。
【００２０】
例示的実施形態では、本方法は、ブロック３０２でＰＥルータのＩＰアドレスが判定されることができるかどうか判定する。ＩＰアドレスが判定されることができない場合は、標準ホーム広告データ・セットが接合され、エンド・ユーザ装置にリダイレクトされる。遠隔エンド・ユーザ・クライアント装置のＩＰアドレスがＰＥルータから判定されることができる場合は、ＩＰアドレスおよびＳＴＢの一意の識別子がブロック３０６での処理のために広告サーバ２１０に送信される。近接広告データベース（ＰＡＤ）が、ブロック３０７でＰＥ  ＩＰアドレスに基づいて領域コードのルックアップを実施する。
【００２１】
有効ＩＰ領域コードが見つけられない場合は、ブロック３０４で標準ホーム広告が送信される。有効コードが見つけられた場合は、領域コードおよびＳＴＢの一意のＩＤが、ブロック３１０での適切な広告データとの相関のために広告サーバ／コンテンツ・ストレージ２１０に渡される。次いで、この広告データは、ストリーム・スプライサ２１７に渡されるか、または、ブロック３１１でＳＴＢ２２０が接合を行うために、接合されないままにしておかれる。ＳＴＢで接合された広告データが入手可能になった後は、適切なリダイレクタ・ソフトウェア３１２によって遠隔ＰＣ２２３にリダイレクトされる。
【００２２】
次に、図５を参照すると、他の例示的実施形態で利用されるデータ構造が示されている。図５に示されているように、データ構造５００は、クライアント・エンド・ユーザ装置ＩＤフィールド５０２、ホーム・ゾーン・フィールド５０４、トラベル・ゾーン・フィールド５０６、遠隔エンド・ユーザ装置ＩＰアドレス・フィールド５０８、ゾーン・サーバ・フィールド５１０、フル監視広告フィールド５１２、および相当するホーム・クーポン・フィールド５１４を含む。また、複数の異なるクライアント装置５２０および５２２のための複数のデータ構造が、コンテンツをトラベル中にクライアントＩＤによって識別されたクライアント装置に配信するために、同じホーム・ゾーンおよび同じトラベル・ゾーンを有するクライアントＩＤを相関またはマッチングするために、メモリに記憶されてもよい。クライアントＩＤフィールドは、エンド・ユーザ・クライアント装置識別を示すデータを含む。遠隔エンド・ユーザ装置ＩＰアドレス・フィールドは、遠隔ロケーション内のエンド・ユーザ・クライアント装置のＩＰアドレスを示すデータを含む。ホーム・ゾーン・フィールドは、クライアント装置に関連するホーム・ゾーンのための広告サーバを示すデータを含む。遠隔ゾーン・フィールドは、クライアント装置遠隔ロケーションに関連する遠隔ゾーン広告サーバを示すデータを含む。
【００２３】
様々なレベルの広告が送信されることができる。ＩＰＴＶサービスの購買のためのクレジットが、クライアント装置でユーザによって監視される広告のために調整される。クライアント装置が受信し、フルに監視する広告が多ければ多いほど、クライアント装置がＩＰＴＶサービスに対する支払のために受け取るクレジットが多くなる。クライアント装置が、広告の受信中に別のＩＰアドレスにスイッチせずにコンテンツに挿入された広告を受信した場合、広告はフルに監視されたとみなされる。広告中にスイッチする／スイッチしないは、クライアント装置またはトラベル・サーバによってモニタリングされ、データ構造に保存される。広告受信フィールドは、クライアント装置が、ホーム・ゾーンに関連するホーム・サーバに送信するために統計値を生成するために広告からスイッチせずにどの広告をフルに受信したかを示すデータを記憶する。
【００２４】
相当するクーポン・フィールドは、遠隔クーポンを示すデータ、およびホーム・ゾーンからのホーム・クーポンに相当する遠隔ゾーン内の広告主からの遠隔クーポンが遠隔ゾーン内のクライアント装置に提供されることができるロケーションを示すロケーション・データを含む。ゾーン・サーバ・フィールドは、各トラベル・ゾーンおよび各ホーム・ゾーンに関連するＩＰＴＶシステム・サーバ識別を示す各トラベル・ゾーンおよび各ホーム・ゾーンに関するＩＰＴＶサーバ識別データを記憶する。ホーム・ゾーンおよびトラベル・ゾーン・フィールドは、例えば、人口密度、人口エリア、郵便番号、密度、および関心のある地理的エリアを含むがそれらに限定されない、各トラベル・ゾーンおよび各ホーム・ゾーンがカスタマイズされることができるようにするデータを記憶する。
【００２５】
例示的実施形態では、ホーム・クーポンに相当する遠隔クーポンが、遠隔ゾーンでトラベル中にクライアント装置に送信されることができる。ホーム広告主は、遠隔ゾーン内の同様のまたは相当する遠隔広告主と相関関係を作ることができる。遠隔ゾーン広告主は、遠隔ゾーン内の相当する広告主で償還可能なクーポンを送信することができる。したがって、遠隔ゾーンに同様のストアを有するホーム・ゾーン内の広告主のためのクーポンが、遠隔ゾーン内のホーム広告主のストアで有効なクーポンを遠隔ゾーン内のクライアント装置に送信することができる。他の例示的実施形態では、ホーム広告主が遠隔ゾーンにストアを有しない場合は、ホーム広告主は、遠隔ゾーンで同様の製品またはサービスを提供する相当する遠隔広告主を識別し、遠隔ゾーン内のその相当する製品またはサービスのための遠隔クーポンを遠隔ゾーン内のエンド・ユーザ・クライアント装置に提供することができる。ホーム・ゾーン広告主および相当するトラベル・ゾーン広告主は、紹介クレジットまたは紹介料を、遠隔広告主によって遠隔クライアント装置に送信され、遠隔ゾーン内の相当する広告主で使用される相当するクーポンと交換することができる。
【００２６】
図６は、命令のセットが、実行された場合、本明細書で論じられたいずれか１つまたは複数の方法を機械にその中で実施させることができるコンピュータ・システム６００の形の機械の概略図である。いくつかの実施形態では、機械がスタンドアロン装置として動作する。いくつかの実施形態では、機械が他の機械に（例えば、ネットワークを使用して）接続されてもよい。ネットワーク接続されたデプロイメントでは、機械が、サーバ−クライアント・ユーザ・ネットワーク環境内のサーバまたはクライアント・ユーザ機械として、あるいは、ピアツーピア（または分散）ネットワーク環境内のピア・マシンとして、動作することができる。機械は、サーバ・コンピュータ、クライアント・ユーザ・コンピュータ、パーソナル・コンピュータ（ＰＣ）、タブレットＰＣ、セット・トップ・ボックス（ＳＴＢ）、携帯情報端末（ＰＤＡ）、携帯電話、モバイル・デバイス、パームトップ・コンピュータ、ラップトップ・コンピュータ、デスクトップ・コンピュータ、通信装置、無線電話、地上回線電話、制御システム、カメラ、スキャナ、ファクシミリ機、プリンタ、ページャ、個人信用装置（ＰＴＤ）、ウェブ・アプライアンス、ネットワーク・ルータ、スイッチまたはブリッジ、あるいは、その機械によって取られる行動を指定する（順次またはその他の）命令のセットを実行するいかなる機械を含んでもよい。本発明の装置は音声、ビデオまたはデータ通信を提供するいかなる電子装置をも広く含むことが理解されるであろう。さらに、単一の機械が例示されているが、用語「機械」はまた、本明細書で論じられた任意の１つまたは複数の方法を実施するために個々にまたは共同で命令の１つのセット（または複数のセット）を実施する機械の任意の集まりを含むとみなされるものとする。
【００２７】
コンピュータ・システム６００は、バス６０８を介して互いに通信する、プロセッサ６０２（例えば、中央処理装置（ＣＰＵ）、グラフィックス・プロセッシング・ユニット（ＧＰＵ）、または両方）、メイン・メモリ６０４およびスタティック・メモリ６０６を含んでもよい。コンピュータ・システム６００は、ビデオ・ディスプレイ・ユニット６１０（例えば、液晶ディスプレイ（ＬＣＤ）、フラット・パネル、ソリッド・ステート・ディスプレイまたは陰極線管（ＣＲＴ）をさらに含んでもよい。コンピュータ・システム６００は、入力装置６１２（例えばキーボード）、カーソル制御装置６１４（例えばマウス）、ディスク・ドライブ・ユニット６１６、信号発生装置６１８（例えばスピーカまたは遠隔コントロール）およびネットワーク・インターフェース９を含んでもよい。
【００２８】
ディスク・ドライブ・ユニット６１６は、上記で例示された方法を含めて、本明細書で説明された任意の１つまたは複数の方法または機能を実施する命令の１つまたは複数のセット（例えば、ソフトウェア６２４）が記憶される機械可読媒体６２２を含んでもよい。命令６２４はまた、コンピュータ・システム６００によるそれらの実行中、メイン・メモリ６０４、スタティック・メモリ６０６の中に、および／またはプロセッサ６０２の中に、完全にまたは少なくとも部分的に存在してもよい。メイン・メモリ６０４およびプロセッサ６０２はまた、機械可読媒体を構成してもよい。特定用途向け集積回路、プログラマブル・ロジック・アレイおよびその他のハードウェア装置を含むがそれらに限定されない専用ハードウェア実装形態が同様に本明細書で説明された方法を実装するように構成されてもよい。様々な実施形態の機器およびシステムを含んでもよい利用形態は、様々な電子およびコンピュータ・システムを広く含む。いくつかの実施形態は、モジュール間で、およびモジュールを通して通信された関係制御信号およびデータ信号を用いて、または特定用途向け集積回路の部分として、２つ以上の特定の相互接続されたハードウェア・モジュールまたは装置において機能を実装する。したがって、例示的システムは、ソフトウェア、ファームウェア、およびハードウェアの実装形態に適用可能である。
【００２９】
本発明の様々な実施形態によれば、本明細書に記載の方法は、コンピュータ・プロセッサ上で稼働するソフトウェア・プログラムとしての動作を意味する。さらに、ソフトウェア実装形態は、分散処理または構成要素／オブジェクト分散処理、並列処理、あるいはバーチャル・マシン処理を含むことができるがそれらに限定されず、また、本明細書に記載の方法を実装するように構成されることもできる。
【００３０】
本発明は、ネットワーク環境６２６に接続された装置が音声、ビデオまたはデータを送信または受信することができるように、また命令６２４を使用してネットワーク６２６を介して通信するために、命令６２４を入れる機械可読媒体、または伝搬された信号からの命令６２４を受信し実行する機械可読媒体を企図する。命令６２４は、さらに、ネットワーク・インターフェース装置６２０を介してネットワーク６２６を通して送信または受信されてもよい。
【００３１】
機械可読媒体６２２は単一の媒体として例示的実施形態に示されているが、用語「機械可読媒体」は、１つまたは複数の命令のセットを記憶する単一の媒体または複数の媒体（例えば、集中または分散データベース、および／または関連するキャッシュおよびサーバ）を含むとみなされるべきである。用語「機械可読媒体」はまた、機械による実行のために命令のセットを記憶、エンコードまたは保持することができ、機械に１つまたは複数の本発明の方法を実行させる任意の媒体を含むとみなされるものとする。したがって、用語「機械可読媒体」は、１つまたは複数の読み出し専用（不揮発性）メモリ、ランダム・アクセス・メモリ、またはその他の書き換え可能な（揮発性）メモリを入れたメモリ・カードあるいはその他のパッケージなどの半導体メモリ、ディスクまたはテープなどの光磁気または光媒体、および伝送媒体内でコンピュータ命令を実施する信号などの搬送波信号を含むがそれらに限定されないとみなされるものとし、かつ／またはｅメールへのデジタル・ファイル・アタッチメントまたは他の内蔵型情報アーカイブまたはアーカイブのセットは、有形記憶媒体と同等の配信媒体とみなされる。したがって、本発明は、本明細書に列挙されていて当技術分野で承認されている同等物および後継媒体を含めて、本明細書におけるソフトウェア実装形態が記憶される任意の１つまたは複数の機械可読媒体または配信媒体を含むとみなされる。
【００３２】
本明細書は特定の規格およびプロトコルに関して諸実施形態で実装される構成要素および機能を記載しているが、本発明はそのような規格およびプロトコルに限定されない。インターネットおよびその他のパケット交換ネットワーク伝送のための規格（例えば、ＴＣＰ／ＩＰ、ＵＤＰ／ＩＰ、ＨＴＭＬ、およびＨＴＴＰ）はそれぞれ最先端技術の例を表す。そのような規格は、本質的に同じ機能を有するより速いまたはより効率のよい同等物によって周期的に取って代わられる。したがって、同じ機能を有する代替規格およびプロトコルは同等物とみなされる。
【００３３】
本明細書で説明された実施形態の例は、様々な実施形態の構造の一般的な理解を提供することを意図し、それらは、本明細書で説明された構造を利用する可能性のある機器およびシステムのすべての要素および特徴の完全な説明として役立つことを意図するものではない。他の多くの実施形態が、上記の説明を検討すれば当業者には明らかになるであろう。他の諸実施形態が、構造的および論理的代替および変更が本開示の範囲から逸脱することなく行われるように利用されることができ、そこから推論されることができる。諸図はまた、単に説明的であって、比例して描かれていないこともある。それらの寸法は誇張されているものがあることもあり、最小化されているものがあることもある。したがって、本明細書および図面は、制限的ではなく例示的であるとみなされるべきである。
【００３４】
本発明の主題のそのような諸実施形態は、本明細書で、単に便宜のために、また、複数のものが実際に開示された場合、この利用形態の範囲をいかなる単一の発明または発明概念にも自発的に限定することがなく、用語「発明」によって、個別に、かつ／または集合的に言及されてもよい。したがって、本明細書で特定の実施形態が図示され説明されてきたが、同じ目的を達成するように適応された任意の構成が、示された特定の実施形態の代わりに使用されてもよいことが理解されるべきである。本開示は、様々な実施形態の任意のおよびすべての適応形態または変形形態をカバーするものとする。上記の諸実施形態の組合せ、および本明細書に特には記載されていない他の諸実施形態は、上記の説明を検討すれば当業者には明らかになるであろう。
【００３５】
読者が技術的開示の本質を迅速に確認することができるようにする要約を必要とする３７Ｃ．Ｆ．Ｒ．§１．７２（ｂ）に準拠するために本開示の要約書が提供される。この要約書は、特許請求の範囲の範囲または意味を解釈または限定するために使用されないという理解で提出される。さらに、前述の「発明を実施するための最良の形態」では、様々な特徴が本開示を簡素化するために単一の実施形態にまとめられることが理解されることができる。本開示の方法は、特許請求の範囲に記載の実施形態が各請求項で明示的に記載された特徴より多くの特徴を必要とするという意図を表すと解釈されるべきではない。そうではなく、添付の特許請求の範囲が示すように、発明の主題は、単一の開示された実施形態のすべての特徴より少ない特徴にある。したがって、添付の特許請求の範囲は、本明細書によって「発明を実施するための最良の形態」に中に組み込まれており、各請求項は別々に主張された主題として独立している。
【図面の簡単な説明】
【００３６】
【図１】ホーム広告データおよびコンテンツを配信するシステムの例示的実施形態を示す図である。
【図２】それらの「ホーム」ロケーションからリダイレクトされたビデオ・コンテンツ・データを受信している間に、ユーザの遠隔地理的ロケーションに関する遠隔広告データを提供するためのシステムの他の例示的実施形態を示す図である。
【図３】「ホーム」ロケーションからリダイレクトされたビデオ・コンテンツ・データをそこで受信するユーザの遠隔地理的ロケーションに関する遠隔広告を提供するためのシステムの他の例示的実施形態を示す図である。
【図４】リダイレクトされたホーム・ビデオ・データおよび遠隔広告データを提供するためのシステムの他の例示的実施形態で実施される機能の流れ図である。
【図５】例示的実施形態でデータを記憶するためのデータ構造の概略図である。
【図６】開示された機能を実施するための機械の例示的実施形態を示す図である。
【図１】
2008187704.tif 000003
【図２】
2008187704.tif 000004
【図３】
2008187704.tif 000005
【図４】
2008187704.tif 000006
【図５】
2008187704.tif 000007
【図６】
2008187704.tif 000008
【外国語明細書】
2008187704.tif 000009
2008187704.tif 000010
2008187704.tif 000011
2008187704.tif 000012
2008187704.tif 000013
2008187704.tif 000014
2008187704.tif 000015
2008187704.tif 000016
2008187704.tif 000017
2008187704.tif 000018
2008187704.tif 000019
2008187704.tif 000020
2008187704.tif 000021
2008187704.tif 000022
2008187704.tif 000023
2008187704.tif 000024
2008187704.tif 000025
2008187704.tif 000026
2008187704.tif 000027
2008187704.tif 000028
2008187704.tif 000029
2008187704.tif 000030
2008187704.tif 000031
2008187704.tif 000032
2008187704.tif 000033
2008187704.tif 000034
2008187704.tif 000035
2008187704.tif 000036
2008187704.tif 000037
2008187704.tif 000038
2008187704.tif 000039
2008187704.tif 000040
2008187704.tif 000041
2008187704.tif 000042